(57)【特許請求の範囲】
【請求項１】
メッセンジャーワイヤに吊り下げ、上面に融着機を載置可能な光ケーブル接続用作業台において、
長方形の平面を有する枠体の上に、当該枠体の長手方向の両枠に跨った略四角形の作業基台を取付け、前記枠体の四隅に夫々設けた線条体によりクランプを介してメッセンジャーワイヤに吊り下げ、当該各線条体の長さを調整可能な長さ調整手段を設け、
前記作業基台の上に、高さの微調整自在な昇降作業台を設け、当該昇降作業台に、前記メッセンジャーワイヤに対して直角な方向に長さを有するスリットを設け、
当該スリットに固定ボルトを通して前記融着機を固定自在とし、
前記融着機を前記昇降作業台に固定した際、当該作業台の水平バランスをとるバランス手段を設け、当該バランス手段は、前記枠体内に、当該枠体の長手方向及び当該長手方向に直角な方向の夫々に横棒を設け、これらの横棒に、各横棒に沿って摺動又は固定自在な錘を夫々設け、
前記枠体に上端開口縁を固定し、前記横棒及び錘を内部に収納した袋体を設けたことを特徴とする、電柱間の光ケーブル接続用作業台。
【請求項２】
メッセンジャーワイヤに吊り下げ、上面に融着機を載置可能な光ケーブル接続用作業台において、
長方形の平面を有する枠体の上に、当該枠体の長手方向の両枠に跨った略四角形の作業基台を取付け、前記枠体の四隅に夫々設けた線条体によりクランプを介してメッセンジャーワイヤに吊り下げ、当該各線条体の長さを調整可能な長さ調整手段を設け、
前記作業基台の上に、高さの微調整自在な昇降作業台を設け、当該昇降作業台に、前記メッセンジャーワイヤに対して直角な方向に長さを有するスリットを設け、
当該スリットに固定ボルトを通して前記融着機を固定自在とし、
前記作業基台の、前記光ケーブル方向の両側に把持アームを夫々立設し、当該各把持アームの先端部に前記光ケ-ブルを把持自在な把持手段を設けたことを特徴とする、電柱間の光ケーブル接続用作業台。
【請求項３】
前記袋体は、メッセンジャーワイヤに対して直角な底部の両端が、一方が高く、他方が低い、断面略三角形形状であることを特徴とする、請求項１又は２に記載の電柱間の光ケーブル接続用作業台。
【請求項４】
請求項１〜３のいずれかの作業台を用いた接続工法であって、メッセンジャーワイヤに二つのクランプを介して４本の線条体により作業台を吊り下げ、各線条体の長さを調整して、メッセンジャーワイヤに支持された光ケーブルの接続する光ファイバー芯線と昇降作業台との距離を接近させ、融着機を前記スリットに固定ボルトを通して固定した後、当該融着機と光ファイバー芯線との距離が一定となるよう前記昇降作業台の高さを微調整し、これと同時に当該昇降作業台を水平にしてから、光ケーブルを接続することを特徴とする、電柱間の光ケーブル接続工法。
【請求項５】
前記昇降作業台の高さを微調整し、これと同時に水平バランスをとるバランス手段により、当該昇降作業台を水平に吊り下げることを特徴とする、請求項４に記載の電柱間の光ケーブル接続工法。
【発明の詳細な説明】
【技術分野】
【０００１】
この発明は、光ケーブルを電柱間で接続する際に使用する作業台及びこの作業台を用いた光ケーブルの接続工法に関するものである。
【背景技術】
【０００２】
従来、電柱間の既設の光ケーブル、又は新設の光ケーブルの光ファイバー芯線を接続する場合、光ケーブルのシースを一定幅にわたり剥ぎ取り、対象となる光ファイバー芯線を引出し、当該光ファイバー芯線の被覆を剥ぎ取って当該端部と、接続する分岐光ファイバーの端部とを融着機（接続機）で融着し、予め被せていた保護スリーブを接続箇所にずらして被せ、当該保護スリーブを熱融着している。
【０００３】
この接続作業には、前記融着機を載せる作業台が必要である。また、光ケーブルは、各電柱に支持されたメッセンジャーワイヤに、スパイラルハンガーで吊り下げられている。この電柱間の光ケーブルを接続する場合、高所作業車のバケットの上に前記作業台を置いて作業者はバケット上で接続作業をしたり、電柱から張り出した作業台を用いて作業者は電柱の上で接続作業をしていた。
【０００４】
しかしながら、近年、この光ケーブルの接続作業において、スマートグリッド化や工事コスト削減により前記シースの剥ぎ取り幅が、例えば７００ｍｍ程度から４００ｍｍに縮小するようなコストダウンのニーズから、この剥ぎ取り幅で対象となる光ファイバー芯線を引出し、融着機で接続しなければならなくなった。従って、引き出した光ファイバー芯線には余長がなく、この状態での接続作業を余儀なくされている。
【０００５】
従来の電柱から作業台を張り出しての作業は、電柱に近い箇所での光ケーブルの接続しかできず、電柱から離れた箇所の分岐接続作業はできないため汎用性がない。また、高所作業車のバケットに作業台を載せて作業をするものは、柱上の電線や通信線が錯綜しており、高所作業車のバケットが目的とする光ケーブルの近くに接近できない場合がある。また、当該バケットとメッセンジャーワイヤの動きが異なることがあり、作業性の悪い恐れがある。
【０００６】
そこで、特許文献１に示すように光ケーブルを支持しているメッセンジャーワイヤに作業台を吊り下げて、接続作業をする作業台が開発されている。この方法では、メッセンジャーワイヤに作業台の両端を吊り下げ、当該作業台に前記融着機を載せ、作業者は高所作業車のバケット等に乗り、作業を行うものである。
【０００７】
【特許文献１】特許第３８１１５７３号公報
【発明の開示】
【発明が解決しようとする課題】
【０００８】
しかしながら、前記特許文献１のものは、作業台をメッセンジャーワイヤに吊り下げている索の長さを調整することはできるが、微調整はできない。また、作業台にスリットを設け、融着機をメッセンジャーワイヤに対して直角方向に移動固定自在としているが、メッセンジャーワイヤ方向には移動自在でない。しかも、融着機を動かした際の作業台の水平バランスを考慮していない。したがって、作業台をメッセンジャーワイヤや光ケーブルに対して、任意の位置に接近させることに対しては不十分である。さらに、メッセンジャーワイヤや光ケーブルが風で揺れた際などには、作業台と光ケーブルの位置関係を一定に保つことができない。
【０００９】
そこで、この発明は、これらの従来技術に鑑み、メッセンジャーワイヤに吊り下げた作業台を、極めて容易にかつ精度よく光ケーブルに接近できて、微調整が可能なものとし、さらに当該作業台に載せる融着機の位置を、光ケーブルの真下や、脇下等の位置に調整、載置した際もバランスよく吊り下げられ、さらに、強風等の際も、メッセンジャーワイヤに安定して吊り下げられる作業台及び当該作業台を用いた光ケーブルの接続工法を提供することを目的としたものである。
【課題を解決するための手段】
【００１０】
請求項１の発明は、メッセンジャーワイヤに吊り下げ、上面に融着機を載置可能な光ケーブル接続用作業台において、長方形の平面を有する枠体の上に、当該枠体の長手方向の両枠に跨った略四角形の作業基台を取付け、前記枠体の四隅に夫々設けた線条体によりクランプを介してメッセンジャーワイヤに吊り下げ、当該各線条体の長さを調整可能な長さ調整手段を設け、
前記作業基台の上に、高さの微調整自在な昇降作業台を設け、当該昇降作業台に、前記メッセンジャーワイヤに対して直角な方向に長さを有するスリットを設け、当該スリットに固定ボルトを通して前記融着機を固定自在とし、前記融着機を前記昇降作業台に固定した際、当該作業台の水平バランスをとるバランス手段を設け、当該バランス手段は、前記枠体内に、当該枠体の長手方向及び当該長手方向に直角な方向の夫々に横棒を設け、これらの横棒に、各横棒に沿って摺動又は固定自在な錘を夫々設け、  前記枠体に上端開口縁を固定し、前記横棒及び錘を内部に収納した袋体を設けた、電柱間の光ケーブル接続用作業台とした。
【００１１】
また、請求項２の発明は、メッセンジャーワイヤに吊り下げ、上面に融着機を載置可能な光ケーブル接続用作業台において、長方形の平面を有する枠体の上に、当該枠体の長手方向の両枠に跨った略四角形の作業基台を取付け、前記枠体の四隅に夫々設けた線条体によりクランプを介してメッセンジャーワイヤに吊り下げ、当該各線条体の長さを調整可能な長さ調整手段を設け、前記作業基台の上に、高さの微調整自在な昇降作業台を設け、当該昇降作業台に、前記メッセンジャーワイヤに対して直角な方向に長さを有するスリットを設け、当該スリットに固定ボルトを通して前記融着機を固定自在とし、前記作業基台の、前記光ケーブル方向の両側に把持アームを夫々立設し、当該各把持アームの先端部に前記光ケ-ブルを把持自在な把持手段を設けた、電柱間の光ケーブル接続用作業台とした。
【００１２】
また、請求項３の発明は、前記袋体は、メッセンジャーワイヤに対して直角な底部の両端が、一方が高く、他方が低い、断面略三角形形状である、請求項１又は２に記載の電柱間の光ケーブル接続用作業台とした。
【００１３】
また、請求項４の発明は、  請求項１〜３のいずれかの作業台を用いた接続工法であって、メッセンジャーワイヤに二つのクランプを介して４本の線条体により作業台を吊り下げ、各線条体の長さを調整して、メッセンジャーワイヤに支持された光ケーブルの接続する光ファイバー芯線と昇降作業台との距離を接近させ、融着機を前記スリットに固定ボルトを通して固定した後、当該融着機と光ファイバー芯線との距離が一定となるよう前記昇降作業台の高さを微調整し、これと同時に当該昇降作業台を水平にしてから、光ケーブルを接続する、電柱間の光ケーブル接続工法とした。
【００１４】
また、請求項５の発明は、前記昇降作業台の高さを微調整し、これと同時に水平バランスをとるバランス手段により、当該昇降作業台を水平に吊り下げる、請求項４に記載の電柱間の光ケーブル接続工法とした。
【発明の効果】
【００１７】
請求項１の発明によれば、作業基台の光ケーブルに対する高さを四本の線条体の長さを長さ調整手段で調整して、昇降作業台の位置を、光ケーブルに接近させ、さらに昇降作業台の高さを微調整できる。また、昇降作業台のスリットの長さ方向の位置を考慮して、当該昇降作業台に固定する融着機の位置を決めることができる。このようにして、現場において、作業台に固定する融着機の位置を選ぶことができ、融着機の位置を光ケーブルの光ファイバー芯線に精度よく接近させ、接続作業を容易にすることができる。
【００１８】
また、この発明によれば、バランス手段を設けることにより、融着機の位置を昇降作業台の上でずらしても、当該バランス手段により常に作業台を水平に保つことができ、より接続作業がしやすい。
【００１９】
また、この発明によれば、電柱間の光ケーブルの接続作業において、工具類や切削物等の作業くずが、袋体に捕集され、作業現場の下方に落下せず、安全に作業ができる。また、袋体に工具類や錘を入れて、前記バランス手段とすることができ、別途、バランス手段を設ける必要がない。
【００２０】
また、請求項２の発明によれば、二つの把持アームで光ケーブルに作業台を固定するため、強風等で作業台のみが揺れて、光ケーブルとの間隔が変化するなど、不安定になることがなく、常にメッセンジャーワイヤ及び光ケーブルと作業台との位置関係が変化せず、安定した接続作業を行うことができる。
【００２１】
また、請求項３の発明によれば、袋体の断面が、前記枠体を基辺にした逆三角形形状であるため、袋体の浅い側に融着機を固定した場合、袋体の深い方に工具類や錘を入れて、作業台の水平バランスを容易かつ安定してとることができる。その際、袋体の一側が深くなっているため、工具類や錘がずれたりすることがない。また、前記融着機の固定がメッセンジャーワイヤに対してどちらの側に来るかによって、前記袋体、又はこれと一体な枠体の取り付け向きを予め変えることができる。
【図面の簡単な説明】
【００２２】
【図１】この発明の実施例１の作業台をメッセンジャーワイヤに吊るした斜視図である。
【図２】この発明の実施例１の作業台をメッセンジャーワイヤに吊るした平面図である。
【図３】この発明の実施例１の作業台をメッセンジャーワイヤに吊るした側面図である。
【図４】この発明の実施例１の作業台の昇降可能な昇降手段を示す拡大説明図である。
【図５】この発明の実施例１の作業台の各線条体の長さ調整手段の斜視図である。
【図６】この発明の実施例１の作業台への融着機の固定構造を示す側面断面図である。
【図７】この発明の実施例１の作業台の使用状態を示す正面図である。
【図８】この発明の実施例２の作業台をメッセンジャーワイヤに吊るした側面断面図である。
【図９】この発明の実施例３の作業台をメッセンジャーワイヤに吊るした側面図である。
【図１０】この発明の実施例３の作業台をメッセンジャーワイヤに吊るした平面図である。
【図１１】この発明の実施例３の作業台の使用状態を示す正面図である。
【発明を実施するための形態】
【００２３】
この発明は、メッセンジャーワイヤに吊り下げ、上面に融着機を載置可能な光ケーブル接続用作業台において、作業基台の四隅に設けた線条体によりクランプを介してメッセンジャーワイヤに吊り下げ、当該各線条体の長さを調整可能な長さ調整手段を設け、前記作業基台の上に、高さ調整自在な昇降作業台を設け、当該昇降作業台に、前記メッセンジャーワイヤに対して直角な方向の長さを有するスリットを設け、当該スリットに固定ボルトを通して前記融着機を固定自在とした、電柱間の光ケーブル接続用作業台である。
【００２４】
これにより、融着機と光ケーブルの光ファイバー芯線との距離が精度よく一定となるよう接近させることができるので、極めて細くて短い芯線を、確実に接続することができる。
【実施例１】
【００２５】
以下、この発明の実施例１を図に基づいて説明する。図１に示すように、長方形の平面を有する枠体１の中央部に略板状で、前後端に折り曲げ縁を有する作業基台２を取り付け、前記枠体１の前後左右の両側に、半環状係止具３ａを有する管体３をそれぞれ被せて固定し、当該作業台を吊るすメッセンジャーワイヤＷに、一定間隔をあけて固定する各クランプ４の前後面にそれぞれ一端を固定した各チェーン５の他端を前記各管体３の半環状係止具３ａに引っ掛けて前記作業基台２をメッセンジャーワイヤＷに吊るすものである。
【００２６】
また、前記作業基台２の前後端の折り曲げ縁は内外二重の折り曲げ縁となっており、これらの内外の二重折り曲げ縁の間に枠体１を嵌め入れる構成となっており、枠体１からむやみに作業基台２が外れないようになっている。
【００２７】
また、これらの各チェーン５は長さ調整手段を設けている。この長さ調整手段は、図５に示すように、各チェーン５の他端を前記半環状係止具３ａに通して折り返し、当該各他端に設けたフック５ａをチェーン５のいずれかの任意の環体にそれぞれ係止しており、当該フック５ａを掛ける環体を選択することによりチェーン５の長さを調整可能である。また、当該チェーン５は、これに限らず、ベルト、針金、ロープ、その他の線条体でも良い。
【００２８】
また、前記作業基台２の上に、昇降自在な昇降作業台６を設けている。この昇降作業台６は、前後端に折り曲げ脚６ａを有し、各折り曲げ脚６ａは作業基台２に載っている。また、当該昇降作業台６の昇降構造は、昇降作業台６の裏面の三箇所であって、略三角形の頂点となる位置に、図４に示すように、下部外周がネジとなったネジ棒７の上端を回転自在に支持し、前記作業基台２の相応する位置に設けた各貫通ネジ孔２ａに前記各ネジ棒７を螺着し、各ネジ棒７の中央部に操作フランジ８を固定して設けている。
【００２９】
また、各操作フランジ８は、図２に示すように外周の一部が昇降作業台６から突出している。そこで、作業者は各操作フランジ８を回転させることにより、昇降作業台６は作業基台２に対して昇降自在となっている。従って、昇降作業台６は、上方に上がると前記折り曲げ脚６ａは作業基台２の上面から離れ、ネジ棒７の長さだけ上がる構造になっている。また、前記昇降作業台６の上面には水準器１１が設けられている。
【００３０】
また、当該作業台をメッセンジャーワイヤＷに吊した際、光ケーブルＣの位置により、最適な箇所に融着機Ｍを載置、固定しなければならない。また、融着機Ｍの底面には、従来からネジ孔Ｍ１が設けられ、図６に示すように、昇降作業台６の透孔（スリット）を通して下から固定ボルト１２を前記ネジ孔Ｍ１に螺着することにより、融着機Ｍを作業台（昇降作業台６）に固定する構成となっている。
【００３１】
そこでこの発明では、当該固定ボルト１２を通すスリットとして、前記昇降作業台６の中央部に、前記メッセンジャーワイヤＷに直角に長さを有し、上下を貫通する第１スリット９を穿ち、また、当該第１スリット９の両端の外側に、当該第１スリット９に略直角に長さを有する、２つの第２スリット１０を穿っている。これにより、融着機Ｍの昇降作業台６の上の固定位置を自由に選べる構成にしている。
【００３２】
また、前記枠体１の周縁には、袋体１３の上端開口縁が取り付けられ、枠体１に吊り下げられている。この袋体１３は光ケーブルＣの接続作業の際、工具類や作業くずを捕集する役目を担っており、この袋体１３を設けることにより、前記工具類等の落下を防止できる。
【００３３】
また、この袋体１３は、図３に示すように、メッセンジャーワイヤＷに直角方向の断面が、逆三角形となり、一側の底が深く、他側の底が浅くなっている。これにより、前記融着機Ｍの昇降作業台６への取付け位置が、片方にずれている場合、融着機Ｍと反対側に当該袋体１３の底の深い側を持ってきて、当該底の深い側に工具類又は錘を入れることにより、作業台を水平に維持できる。この場合、前記水準器１１を見ながら工具類や錘の重さを調整する。
【００３４】
なお、当該袋体１３は枠体１に取り付けられているため、予め現場で、融着機Ｍが昇降作業台６のどちらの側に来るかを予測判断し、袋体１３の底の深い側が融着機Ｍと反対側に来るように枠体１の向きを決めておく必要がある。また、この様に袋体１３を逆三角形にすれば、工具類や錘を底の深い側に入れれば、むやみに袋体１３内で動かず、水平バランスがとりやすい。しかしながら、袋体１３は、必ずしもこのような形状に限らない。直方体形状でも良い。また、上記袋体１３は、布に限らず、合成樹脂シート、メッシュ、金網等、種々の素材のもので良い。
【００３５】
以下、上記作業基台２を使用して光ケーブルを接続する作業について説明する。
【００３６】
メッセンジャーワイヤに吊り下げられた光ケーブルＣの一定幅のシースを剥ぎ取る。光ケーブルの芯線は、極めて細く、これを確実に接続するためには、図７に示すように、融着機Ｍを接続作業がし易く、かつ、メッセンジャーワイヤＷの近い位置に設定する。
【００３７】
そのために、まずは、メッセンジャーワイヤＷに二つのクランプ４を介して４本のチェーン５により作業基台２を吊り下げ、各チェーン５の長さを調整して、メッセンジャーワイヤＷに支持された光ケーブルＣの接続する光ファイバー芯線Ｈと昇降作業台６との距離を接近させ、さらに、融着機Ｍを前記第１スリット９又は２つの第２スリット１０のいずれかに固定ボルト１２を通して融着機Ｍを固定して位置を調整する。
【００３８】
次ぎに、この融着機ＭとメッセンジャーワイヤＷの距離が一定となるよう保持してから、当該融着機Ｍが水平となるように前記昇降作業台６の昇降を操作フランジ４により調節する。水平は、前記昇降作業台６の上面の水準器１１によって確認する。
【００３９】
そして、光ファイバー芯線Ｈを引き出して切断し、当該光ファイバー芯線Ｈの被覆及びこれと接続する光ファイバー芯線Ｈの被覆をも剥ぎ取り、これらの光ファイバー芯線Ｈの端部を前記融着機Ｍに載せ、クランプアーム（図示省略）でこれらを固定して、融着する。
【００４０】
この際、光ファイバー芯線Ｈは、図７に示すように、少しの長さしか引き出せないが、融着機Ｍと光ケーブルＣとの距離を、精度よく一定に接近させることが出来るため、接続作業は確実となる。
【００４１】
なお、上記実施例１では、昇降作業台６に第１スリット９及び第２スリット１０を設けたが、第２スリット１０は必ずしも設けなくても良い。その場合、枠体１の上で作業基台２をメッセンジャーワイヤＷ方向にずらせば良い。さらに、メッセンジャーワイヤＷの方向に大きくずらす場合は、枠体１ごとずらすこともできる。
【実施例２】
【００４２】
図８に示すものは、この発明の実施例２を示す。この実施例２の作業台は、前記枠体１の前後の両側、即ち、メッセンジャーワイヤＷに対して直角な方向の両側に渡した第１横棒１４及び枠体１の左右の両側、即ち、メッセンジャーワイヤＷの略真下に沿った方向の枠体１の両側に渡した第２横棒１５に夫々摺動又は固定自在な錘１６を設けたもので、前記融着機Ｍの昇降作業台６上の位置によって、第１横棒１４又は第２横棒１５に沿って各錘１６の位置をずらし、作業台の水平バランスを取ることが出来るものである。他の構成は実施例１と同じである。
【００４３】
これらの第１横棒１４、第２横棒１５及びこれらに吊り下げられた錘１６は全て袋体１３の中にあり、作業の邪魔にならない。
【実施例３】
【００４４】
図９、〜図１１に示すものは、この発明の実施例３を示す。この実施例３の作業台は、前記作業基台２の左右の両端上面に把持アーム１７を夫々立設し、当該各把持アーム１７の上端側部に、前記光ケーブルＣを把持自在な把持部１７ａを設けたものである。他の構成は実施例１と同じである。
【００４５】
この実施例３の場合、光ケーブルＣを一定間隔を開けて把持アーム１７で把持しているため、チェーン５のみでメッセンジャーワイヤＷに吊り下げられたものと異なり、光ケーブルＣに作業台が固定されるため、風で揺れてもメッセンジャーワイヤＷ及び光ケーブルＣと一体に揺れるため、融着機Ｍと光ケーブルＣとの間隔が変わらず、接続作業を容易かつ確実に行うことが出来る。
【００４６】
上記実施例２〜３の場合の作業台を使用する場合にも、上記したように、まず、融着機ＭとメッセンジャーワイヤＷの距離を一定に保持してから、当該融着機Ｍが水平となるように調整することは、実施例１と同様である。
【００４７】
なお、上記各実施例では、平面視、四辺形の枠体１の上に作業基台２を設け、前記枠体１の四隅でチェーン５によりメッセンジャーワイヤＷに吊るしているが、枠体１を設けず、作業基台２の四隅に線条体を設け、これらの線条体をメッセンジャーワイヤＷに吊るしても良い。また、枠体１の上に作業基台２を取り付けているが、当該枠体１に袋体１３を吊り下げていない場合もある。
【符号の説明】
【００４８】
Ｗ      メッセンジャーワイヤ      Ｍ      融着機
Ｍ１    ネジ孔                    Ｃ      光ケーブル
Ｈ      光ファイバー芯線
１      枠体                        ２      作業基台
３      管体                        ３ａ    半環状係止具
４      クランプ                    ５      チェーン
５ａ    フック                      ６      昇降作業台
６ａ    折り曲げ脚                  ７      ネジ棒
８      操作フランジ                ９      第１スリット    
１０    第２スリット                １１    水準器
１２    固定ボルト                  １３    袋体
１４    第１横棒                    １５    第２横棒
１６    錘                          １７    把持アーム
１７ａ  把持部        
【図１】
0005986777.tif 000002
【図２】
0005986777.tif 000003
【図３】
0005986777.tif 000004
【図４】
0005986777.tif 000005
【図５】
0005986777.tif 000006
【図６】
0005986777.tif 000007
【図７】
0005986777.tif 000008
【図８】
0005986777.tif 000009
【図９】
0005986777.tif 000010
【図１０】
0005986777.tif 000011
【図１１】
0005986777.tif 000012